【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
記録媒体上のデータを再生してホストコンピュータへ転送する情報再生装置において、
前記データがビデオデータである場合、データ再生時に通常のデータが記録された記録媒体よりもデータエラーの判定条件を緩める手段を設けたことを特徴とする情報再生装置。
【請求項２】
記録媒体上のデータを再生してホストコンピュータへ転送する情報再生装置において、
前記記録媒体がビデオデータが記録された記録媒体である場合、データ再生時に通常のデータが記録された記録媒体よりもデータエラーの判定条件を緩める手段を設けたことを特徴とする情報再生装置。
【請求項３】
記録媒体上のデータを再生してホストコンピュータへ転送する情報再生装置において、
挿入されている記録媒体がビデオデータが記録された記録媒体か否かを判別する判別手段と、該手段によってビデオデータが記録された記録媒体と判別された場合、データ再生時に通常のデータが記録された記録媒体よりもデータエラーの判定条件を緩める手段を設けたことを特徴とする情報再生装置。
【請求項４】
請求項３記載の情報再生装置において、
前記判別手段は、前記挿入されている記録媒体の所定領域を再生し、該所定領域に地域コード及びコピープロテクト情報が存在する場合、記録媒体上のデータを解読するための暗号データが格納されている領域を再生し、０でないデータが記録されている場合には当該記録媒体をビデオデータが記録された記録媒体であると判別する手段であることを特徴とする情報再生装置。
【請求項５】
請求項１乃至４のいずれか一項に記載の情報再生装置において、
前記データエラーの判定条件を緩める手段は、前記判別手段によってビデオデータが記録された記録媒体と判別された場合、データ再生時にＥＤＣエラーを無視することによって通常のデータが記録された記録媒体よりもデータエラーの判定条件を緩める手段であることを特徴とする情報再生装置。
【請求項６】
請求項１乃至４のいずれか一項に記載の情報再生装置において、
前記データエラーの判定条件を緩める手段は、前記判別手段によってビデオデータが記録された記録媒体と判別された場合、データ再生時にセクタＩＤの連続性チェックを禁止することによって通常のデータが記録された記録媒体よりもデータエラーの判定条件を緩める手段であることを特徴とする情報再生装置。
【請求項７】
請求項１乃至６のいずれか一項に記載の情報再生装置において、
前記記録媒体の任意のセクタを再生している際にデータ誤り数が所定の閾値を超えた場合、当該セクタに対して再生リトライを実施する再生リトライ実施手段を設けたことを特徴とする情報再生装置。
【請求項８】
記録媒体上のデータを再生してホストコンピュータへ転送する情報再生方法において、
前記データがビデオデータである場合、データ再生時に通常のデータが記録された記録媒体よりもデータエラーの判定条件を緩めることを特徴とする情報再生方法。
【請求項９】
記録媒体上のデータを再生してホストコンピュータへ転送する情報再生方法において、
前記記録媒体がビデオデータが記録された記録媒体である場合、データ再生時に通常のデータが記録された記録媒体よりもデータエラーの判定条件を緩めることを特徴とする情報再生方法。
【請求項１０】
記録媒体上のデータを再生してホストコンピュータへ転送する情報再生方法において、挿入されている記録媒体がビデオデータが記録された記録媒体か否かを判別し、該判別によってビデオデータが記録された記録媒体と判別された場合、データ再生時に通常のデータが記録された記録媒体よりもデータエラーの判定条件を緩めることを特徴とする情報再生方法。
【請求項１１】
請求項１０記載の情報再生方法において、前記判別では、前記挿入されている記録媒体の所定領域を再生し、該所定領域に地域コード及びコピープロテクト情報が存在する場合、記録媒体上のデータを解読するための暗号データが格納されている領域を再生し、０でないデータが記録されている場合には当該記録媒体をビデオデータが記録された記録媒体であると判別することを特徴とする情報再生方法。
【請求項１２】
請求項８乃至１１のいずれか一項に記載の情報再生方法において、
前記データエラーの判定条件を緩めることは、前記判別によってビデオデータが記録された記録媒体と判別された場合、データ再生時にＥＤＣエラーを無視することによって通常のデータが記録された記録媒体よりもデータエラーの判定条件を緩めることを特徴とする情報再生方法。
【請求項１３】
請求項８乃至１１のいずれか一項に記載の情報再生方法において、
前記データエラーの判定条件を緩めることは、前記判別によってビデオデータが記録された記録媒体と判別された場合、データ再生時にセクタＩＤの連続性チェックを禁止することによって通常のデータが記録された記録媒体よりもデータエラーの判定条件を緩めることを特徴とする情報再生装置。
【請求項１４】
請求項８乃至１３のいずれか一項に記載の情報再生方法において、
前記記録媒体の任意のセクタを再生している際にデータ誤り数が所定の閾値を超えた場合、当該セクタに対して再生リトライを実施することを特徴とする情報再生方法。
【請求項１５】
コンピュータに、挿入されている記録媒体がビデオデータが記録された記録媒体か否かを判別する判別機能と、該機能によってビデオデータが記録された記録媒体と判別された場合、データ再生時に通常のデータが記録された記録媒体よりもデータエラーの判定条件を緩める判定条件緩和機能を実現させるためのプログラム。
【請求項１６】
コンピュータに、挿入されている記録媒体の所定領域を再生し、該所定領域に地域コード及びコピープロテクト情報が存在する場合、記録媒体上のデータを解読するための暗号データが格納されている領域を再生し、０でないデータが記録されている場合には当該記録媒体をビデオデータが記録された記録媒体であると判別する判別機能と、該機能によってビデオデータが記録された記録媒体と判別された場合、データ再生時に通常のデータが記録された記録媒体よりもデータエラーの判定条件を緩める判定条件緩和機能を実現させるためのプログラム。
【請求項１７】
コンピュータに、挿入されている記録媒体がビデオデータが記録された記録媒体か否かを判別する判別機能と、該機能によってビデオデータが記録された記録媒体と判別された場合、データ再生時に通常のデータが記録された記録媒体よりもデータエラーの判定条件を緩める判定条件緩和機能と、前記記録媒体の任意のセクタを再生している際にデータ誤り数が所定の閾値を超えた場合、当該セクタに対して再生リトライを実施する再生リトライ実施機能とを実現させるためのプログラム。
【請求項１８】
コンピュータに、挿入されている記録媒体の所定領域を再生し、該所定領域に地域コード及びコピープロテクト情報が存在する場合、記録媒体上のデータを解読するための暗号データが格納されている領域を再生し、０でないデータが記録されている場合には当該記録媒体をビデオデータが記録された記録媒体であると判別する判別機能と、該機能によってビデオデータが記録された記録媒体と判別された場合、データ再生時に通常のデータが記録された記録媒体よりもデータエラーの判定条件を緩める判定条件緩和機能と、前記記録媒体の任意のセクタを再生している際にデータ誤り数が所定の閾値を超えた場合、当該セクタに対して再生リトライを実施する再生リトライ実施機能とを実現させるためのプログラム。
【手続補正２】
【補正対象書類名】明細書
【補正対象項目名】０００４
【補正方法】変更
【補正の内容】
【０００４】
【課題を解決するための手段】
この発明は上記の目的を達成するため、記録媒体上のデータを再生してホストコンピュータへ転送する情報再生装置において、上記データがビデオデータである場合、データ再生時に通常のデータが記録された記録媒体よりもデータエラーの判定条件を緩める手段を設けたものである。
また、記録媒体上のデータを再生してホストコンピュータへ転送する情報再生装置において、上記記録媒体がビデオデータが記録された記録媒体である場合、データ再生時に通常のデータが記録された記録媒体よりもデータエラーの判定条件を緩める手段を設けるようにしてもよい。
さらに、記録媒体上のデータを再生してホストコンピュータへ転送する情報再生装置において、挿入されている記録媒体がビデオデータが記録された記録媒体か否かを判別する判別手段と、その手段によってビデオデータが記録された記録媒体と判別された場合、データ再生時に通常のデータが記録された記録媒体よりもデータエラーの判定条件を緩める手段を設けるようにしてもよい。
【手続補正３】
【補正対象書類名】明細書
【補正対象項目名】０００５
【補正方法】変更
【補正の内容】
【０００５】
また、上記のような情報再生装置において、上記判別手段を、上記挿入されている記録媒体の所定領域を再生し、その所定領域に地域コード及びコピープロテクト情報が存在する場合、記録媒体上のデータを解読するための暗号データが格納されている領域を再生し、０でないデータが記録されている場合には当該記録媒体をビデオデータが記録された記録媒体であると判別する手段にするとよい。
さらに、上記のような情報再生装置において、上記データエラーの判定条件を緩める手段を、上記判別手段によってビデオデータが記録された記録媒体と判別された場合、データ再生時にＥＤＣエラーを無視することによって通常のデータが記録された記録媒体よりもデータエラーの判定条件を緩める手段にするとよい。
あるいは、上記のような情報再生装置において、上記データエラーの判定条件を緩める手段を、上記判別手段によってビデオデータが記録された記録媒体と判別された場合、データ再生時にセクタＩＤの連続性チェックを禁止することによって通常のデータが記録された記録媒体よりもデータエラーの判定条件を緩める手段にしてもよい。
さらに、上記のような情報再生装置において、上記記録媒体の任意のセクタを再生している際にデータ誤り数が所定の閾値を超えた場合、当該セクタに対して再生リトライを実施する再生リトライ実施手段を設けるとよい。
【手続補正４】
【補正対象書類名】明細書
【補正対象項目名】０００６
【補正方法】変更
【補正の内容】
【０００６】
次に、記録媒体上のデータを再生してホストコンピュータへ転送する情報再生方法において、上記データがビデオデータである場合、データ再生時に通常のデータが記録された記録媒体よりもデータエラーの判定条件を緩める情報再生方法も提供する。
また、記録媒体上のデータを再生してホストコンピュータへ転送する情報再生方法において、上記記録媒体がビデオデータが記録された記録媒体である場合、データ再生時に通常のデータが記録された記録媒体よりもデータエラーの判定条件を緩めるとよい。
あるいは、記録媒体上のデータを再生してホストコンピュータへ転送する情報再生方法において、挿入されている記録媒体がビデオデータが記録された記録媒体か否かを判別し、その判別によってビデオデータが記録された記録媒体と判別された場合、データ再生時に通常のデータが記録された記録媒体よりもデータエラーの判定条件を緩めるようにしてもよい。
【手続補正５】
【補正対象書類名】明細書
【補正対象項目名】０００７
【補正方法】変更
【補正の内容】
【０００７】
さらに、上記のような情報再生方法において、上記判別では、上記挿入されている記録媒体の所定領域を再生し、その所定領域に地域コード及びコピープロテクト情報が存在する場合、記録媒体上のデータを解読するための暗号データが格納されている領域を再生し、０でないデータが記録されている場合には当該記録媒体をビデオデータが記録された記録媒体であると判別するとよい。
また、上記のような情報再生方法において、上記データエラーの判定条件を緩めることを、上記判別によってビデオデータが記録された記録媒体と判別された場合、データ再生時にＥＤＣエラーを無視することによって通常のデータが記録された記録媒体よりもデータエラーの判定条件を緩めることにするとよい。
さらに、上記のような情報再生方法において、上記データエラーの判定条件を緩めることを、上記判別によってビデオデータが記録された記録媒体と判別された場合、データ再生時にセクタＩＤの連続性チェックを禁止することによって通常のデータが記録された記録媒体よりもデータエラーの判定条件を緩めることにしてもよい。
また、上記のような情報再生方法において、上記記録媒体の任意のセクタを再生している際にデータ誤り数が所定の閾値を超えた場合、当該セクタに対して再生リトライを実施するとよい。
【手続補正６】
【補正対象書類名】明細書
【補正対象項目名】００１６
【補正方法】変更
【補正の内容】
【００１６】
すなわち、上記ＤＶＤ−ＲＯＭドライブ装置１が記録媒体上のデータを再生してホストコンピュータへ転送する情報再生装置に相当し、上記システムコントローラ１２にこの発明に係わる各機能を実現させるためのプログラムをインストールすることにより、上記システムコントローラ１２等が挿入されている記録媒体がビデオデータが記録された記録媒体か否かを判別する判別手段と、その手段によってビデオデータが記録された記録媒体と判別された場合、データ再生時に通常のデータが記録された記録媒体よりもデータエラーの判定条件を緩める手段の機能を果たす。
【手続補正７】
【補正対象書類名】明細書
【補正対象項目名】００１７
【補正方法】変更
【補正の内容】
【００１７】
また、上記挿入されている記録媒体の所定領域を再生し、その所定領域に地域コード及びコピープロテクト情報が存在する場合、記録媒体上のデータを解読するための暗号データが格納されている領域を再生し、０でないデータが記録されている場合には当該記録媒体をビデオデータが記録された記録媒体であると判別する手段の機能も果たす。
さらに、上記記録媒体の任意のセクタを再生している際にデータ誤り数が所定の閾値を超えた場合、当該セクタに対して再生リトライを実施する再生リトライ実施手段の機能も果たす。
したがって、このＤＶＤ−ＲＯＭドライブ装置１は、この発明に係わる情報再生方法を実行する。
【手続補正８】
【補正対象書類名】明細書
【補正対象項目名】００１８
【補正方法】変更
【補正の内容】
【００１８】
次に、このＤＶＤ−ＲＯＭドライブ装置１におけるこの発明に係わる処理を説明する。
図２は、このＤＶＤ−ＲＯＭドライブ装置１におけるこの発明に係わる処理を示すフローチャート図である。
この発明に係わる処理は、挿入されている光ディスクがＤＶＤ−ビデオディスクであった場合に、再生エラー時のエラー数が所定値を超えていなければ、そのままホストコンピュータ２０へ当該データを転送する。
この処理を実施することによって、無駄な再生リトライを回避することができ、動画のこま送り状態となる不具合を回避することができる。
【手続補正９】
【補正対象書類名】明細書
【補正対象項目名】００２５
【補正方法】変更
【補正の内容】
【００２５】
次に、このＤＶＤ−ＲＯＭドライブ装置１におけるこの発明に係わる他の処理を説明する。
図３は、このＤＶＤ−ＲＯＭドライブ装置１におけるこの発明に係わる他の処理を示すフローチャート図である。
この処理は、図２に示したＤＶＤビデオディスクか否かの判別処理であり、ステップ２１で光ディスクが挿入された時にディスク情報マウント処理を実施し、ステップ２２でＤＶＤディスクか否かの判別を実施し、ＤＶＤディスクでないと判別したら、この処理を終了する。
また、ステップ２２でＤＶＤディスクであると判別した場合、ステップ２３でコピーライトインフォメーションセクタ（Ｃｏｐｙｒｉｇｈｔ  Ｉｎｆｏｒｍａｔｉｏｎ  Ｓｅｃｔｏｒ）を再生する。このコピーライトインフォメーションセクタは、ＤＶＤディスクのリードイン領域（Ｌｅａｄ−Ｉｎ  Ａｒｅａ）に存在し、コピーライト情報が記録されている場所である。ステップ２４でコピーライトインフォメーションセクタから、地域コードを得る。
【手続補正１０】
【補正対象書類名】明細書
【補正対象項目名】００３０
【補正方法】変更
【補正の内容】
【００３０】
次に、このＤＶＤ−ＲＯＭドライブ装置１におけるこの発明に係わるさらに他の処理を説明する。
光ディスク２１上の傷やごみ付着により、データ誤りが多いセクタが連続している場合は、画像データに多くのノイズが発生し、再生時に画像の乱れとなってユーザに非常に不快感を与えてしまう。
このようなデータ誤りが多いセクタに対しては、光ディスクの回転スピードを減速させるなど所定の再生リトライを実施し、エラー誤りを減少させる必要がある。
【手続補正１１】
【補正対象書類名】明細書
【補正対象項目名】図２
【補正方法】変更
【補正の内容】
【図２】
このＤＶＤ−ＲＯＭドライブ装置１におけるこの発明に係わる処理を示すフローチャート図である。
【手続補正１２】
【補正対象書類名】明細書
【補正対象項目名】図３
【補正方法】変更
【補正の内容】
【図３】
このＤＶＤ−ＲＯＭドライブ装置１におけるこの発明に係わる他の処理を示すフローチャート図である。